(57)【要約】【課題】検索結果に含まれるＵＲＬに過去にアクセスしたユーザに関する情報を提供する。【解決手段】複数のクライアント計算機及び検索エンジンに接続されるＷＥＢサーバであって、インターネット上の位置情報と、当該位置情報が示す位置にアクセスしたユーザとの対応を示すアクセス履歴を記憶し、検索要求を前記クライアント計算機から受信し、前記受信した検索要求に対応する検索の実行を、前記検索エンジンに要求し、当該検索エンジンから、検索を要求された情報が存在する位置を示す位置情報を含む検索結果を受信し、前記アクセス履歴に基づいて、前記受信した検索結果に含まれる位置情報が示す位置に過去にアクセスしたユーザを特定し、前記特定されたユーザに関する情報を、前記受信した検索要求の送信元であるクライアント計算機に送信することを特徴とする。【選択図】図２
2008276592.tif 000002
【特許請求の範囲】
【請求項１】
ユーザによって操作される複数のクライアント計算機にインターネットを介して接続され、且つ、情報を検索する検索エンジンに接続され、プロセッサ、メモリ及びインタフェースを備えるＷＥＢサーバであって、
前記メモリは、インターネット上の位置情報と、当該位置情報が示す位置にアクセスしたユーザとの対応を示すアクセス履歴を記憶し、
前記プロセッサは、
検索要求を前記クライアント計算機から受信し、
前記受信した検索要求に対応する検索の実行を、前記検索エンジンに要求し、
当該検索エンジンから、検索を要求された情報が存在する位置を示す位置情報を含む検索結果を受信し、
前記アクセス履歴に基づいて、前記受信した検索結果に含まれる位置情報が示す位置に過去にアクセスしたユーザを特定し、
前記特定されたユーザに関する情報を、前記受信した検索要求の送信元であるクライアント計算機に送信することを特徴とするＷＥＢサーバ。
【請求項２】
ユーザによって操作される複数のクライアント計算機にインターネットを介して接続され、プロセッサ、メモリ及びインタフェースを備えるＷＥＢサーバであって、
前記メモリは、インターネット上の位置情報と、当該位置情報が示す位置にアクセスしたユーザとの対応を示すアクセス履歴を記憶し、
前記プロセッサは、
検索要求を前記クライアント計算機から受信し、
前記受信した検索要求に対応する検索を実行し、
前記アクセス履歴に基づいて、前記実行した検索結果に含まれる位置情報が示す位置に過去にアクセスしたユーザを特定し、
前記特定されたユーザに関する情報を、前記受信した検索要求の送信元であるクライアント計算機に送信することを特徴とするＷＥＢサーバ。
【請求項３】
前記インターネット上の位置情報は、ＵＲＩ又はＵＲＬであることを特徴とする請求項１又は２に記載のＷＥＢサーバ。
【請求項４】
前記プロセッサは、
前記インターネット上の位置へ前記クライアント計算機がアクセスした場合、当該クライアント計算機を操作するユーザを特定し、
前記アクセス先の位置を示す位置情報と前記特定されたユーザとの対応を、前記アクセス履歴に格納することを特徴とする請求項１又は２に記載のＷＥＢサーバ。
【請求項５】
前記プロセッサは、前記受信又は実行した検索結果と共に、前記特定されたユーザに関する情報を、前記受信した検索要求の送信元であるクライアント計算機に送信することを特徴とする請求項１又は２に記載のＷＥＢサーバ。
【請求項６】
前記ユーザに関する情報は、当該ユーザの電話番号、当該ユーザのメールアドレス、ユーザ名、ユーザＩＤ、当該ユーザが過去に検索した検索キーワード及び当該ユーザが過去にアクセスしたインターネット上の位置を示す位置情報のうち少なくとも一つを含むことを特徴とする請求項１又は２に記載のＷＥＢサーバ。
【請求項７】
前記プロセッサは、
前記特定されたユーザに対するメッセージを、前記受信した検索要求の送信元であるクライアント計算機から受信し、
前記受信したメッセージを、前記特定されたユーザによって操作されるクライアント計算機に送信することを特徴とする請求項１又は２に記載のＷＥＢサーバ。
【請求項８】
前記プロセッサは、ＳＮＳ、ネットオークションサービス及び情報提供サービスのうち少なくとも一つを、前記クライアント計算機に提供することを特徴とする請求項１又は２に記載のＷＥＢサーバ。
【請求項９】
前記受信又は実行した検索結果は、更に、検索された情報が存在するＷＥＢサイト名、曲名、作曲者名、作詞者名及び歌手名のうち少なくとも一つを含むことを特徴とする請求項１又は２に記載のＷＥＢサーバ。
【請求項１０】
ユーザによって操作される複数のクライアント計算機にインターネットを介して接続され、且つ、情報を検索する検索エンジンに接続され、プロセッサ、メモリ及びインタフェースを備えるＷＥＢサーバに、
インターネット上の位置情報と、当該位置情報が示す位置にアクセスしたユーザとの対応を示すアクセス履歴を記憶するステップと、
検索要求を前記クライアント計算機から受信するステップと、
前記受信した検索要求に対応する検索の実行を、前記検索エンジンに要求するステップと、
当該検索エンジンから、検索を要求された情報が存在する位置を示す位置情報を含む検索結果を受信するステップと、
前記アクセス履歴に基づいて、前記受信した検索結果に含まれる位置情報が示す位置に過去にアクセスしたユーザを特定するステップと、
前記特定されたユーザに関する情報を、前記受信した検索要求の送信元であるクライアント計算機に送信するステップと、を実行させることを特徴とするプログラム。
【請求項１１】
ユーザによって操作される複数のクライアント計算機にインターネットを介して接続され、プロセッサ、メモリ及びインタフェースを備えるＷＥＢサーバに、
インターネット上の位置情報と、当該位置情報が示す位置にアクセスしたユーザとの対応を示すアクセス履歴を記憶するステップと、
検索要求を前記クライアント計算機から受信するステップと、
前記受信した検索要求に対応する検索を実行するステップと、
前記アクセス履歴に基づいて、前記実行した検索結果に含まれる位置情報が示す位置に過去にアクセスしたユーザを特定するステップと、
前記特定されたユーザに関する情報を、前記受信した検索要求の送信元であるクライアント計算機に送信するステップと、を実行させることを特徴とするプログラム。
【発明の詳細な説明】
【技術分野】
【０００１】
本発明は、インターネット上に存在するＷＥＢサーバに関するものである。
【背景技術】
【０００２】
近年、様々な検索サービスが提供されている。しかし、従来の検索サービスでは、ユーザが求める情報が必ずしも検索されないという問題が生じている。この問題を解決するために、検索キーワードの関連語句を表示する技術が知られている（例えば、特許文献１を参照。）。
【０００３】
【特許文献１】特開２００４‐２８７８２７号公報
【発明の開示】
【発明が解決しようとする課題】
【０００４】
特許文献１に開示されている技術では、ユーザは、検索キーワードの関連語句を知ることができる。
【０００５】
しかしながら、ユーザは、検索結果に含まれるＵＲＬに過去にアクセスしたユーザに関する情報を知ることはできない。本発明は、前述した問題点に鑑みてなされたものであって、検索結果に含まれるＵＲＬに過去にアクセスしたユーザに関する情報を提供するＷＥＢサーバを提供することを目的とする。
【課題を解決するための手段】
【０００６】
本発明の代表的な形態は、ユーザによって操作される複数のクライアント計算機にインターネットを介して接続され、且つ、情報を検索する検索エンジンに接続され、プロセッサ、メモリ及びインタフェースを備えるＷＥＢサーバであって、前記メモリは、インターネット上の位置情報と、当該位置情報が示す位置にアクセスしたユーザとの対応を示すアクセス履歴を記憶し、前記プロセッサは、検索要求を前記クライアント計算機から受信し、前記受信した検索要求に対応する検索の実行を、前記検索エンジンに要求し、当該検索エンジンから、検索を要求された情報が存在する位置を示す位置情報を含む検索結果を受信し、前記アクセス履歴に基づいて、前記受信した検索結果に含まれる位置情報が示す位置に過去にアクセスしたユーザを特定し、前記特定されたユーザに関する情報を、前記受信した検索要求の送信元であるクライアント計算機に送信することを特徴とする。
【発明の効果】
【０００７】
本発明の代表的な形態によれば、ＷＥＢサーバは、検索結果に含まれるＵＲＬに過去にアクセスしたユーザに関する情報を提供できる。
【発明を実施するための最良の形態】
【０００８】
本発明の実施の形態を図面を参照して説明する。
【０００９】
（第１の実施の形態）
図１は、本発明の第１の実施の形態の計算機システムの構成のブロック図である。計算機システムは、クライアント計算機１、検索エンジン２、ＷＥＢサーバ３及びインターネット５を備える。クライアント計算機１とＷＥＢサーバ３とは、インターネット５を介して接続される。また、検索エンジン２は、ＷＥＢサーバ３に直接接続されている。但し、検索エンジン２は、インターネット５を介してＷＥＢサーバ３に接続されていてもよい。ＷＥＢサーバ３は、プロセッサ、メモリ及びインタフェースを備える計算機である。そして、ＷＥＢサーバ３は、クライアント計算機１に各種ＷＥＢサービスを提供する。具体的には、ＷＥＢサーバ３は、クライアント計算機１から要求された情報を、当該クライアント計算機１に送信する。更に、ＷＥＢサーバ３は、検索エンジン２を用いることによって、検索サービスをクライアント計算機１に提供する。なお、ＷＥＢサーバ３については、図２で詳細を説明する。クライアント計算機１は、プロセッサ、メモリ及びインタフェースを備える計算機である。なお、クライアント計算機１は、一般的なＰＣ（Ｐｅｒｓｏｎａｌ  Ｃｏｍｐｕｔｅｒ）であるが、ＷＥＢ閲覧機能を備えればいかなる端末であってもよい。例えば、クライアント計算機１は、ＰＤＡ端末、ＰＨＳ端末又は携帯電話端末であってもよい。また、クライアント計算機１は、ＷＥＢサーバ３によるＷＥＢサービスの提供を受けるユーザによって操作される。つまり、クライアント計算機１を操作するユーザは、ＷＥＢサーバ３によって提供されるＷＥＢサービスにユーザ登録されている。検索エンジン２は、プロセッサ、メモリ及びインタフェースを備える計算機である。なお、検索エンジン２は、情報を検索する機能を備えるものであればいかなるものであってもよい。本実施の形態の検索エンジン２は、インターネットに存在する情報（ウェブページ、ウェブサイト、電子ファイル、画像ファイル、動画ファイル、文書ファイル又はネットニュースなど）を検索する機能を備える。例えば、本実施の形態の検索エンジン２は、ＹＡＨＯＯ！（登録商標）又はＧｏｏｇｌｅ（登録商標）などによって提供されるものである。また、検索エンジン２は、検索キーワードに基づく検索の代わりに、他の情報に基づく検索を行ってもよい。例えば、検索エンジン２は、音声情報に基づいて、音楽を検索する。音声情報に基づく音楽の検索としては、聴かせて検索（登録商標）が普及している。なお、検索エンジン２は、インターネットに存在する情報でなく、インターネットに存在しない情報を検索する機能を備えるものであってもよい。インターネットに存在しない情報は、例えば、図書館の蔵書情報である。なお、本説明図では、検索エンジン２とＷＥＢサーバ３とは、異なる二つの計算機であるが、一つの計算機によって実現されていてもよい。
【００１０】
図２は、本発明の第１の実施の形態の計算機システムに備わるＷＥＢサーバ３の構成のブロック図である。ＷＥＢサーバ３は、プロセッサ３１、メモリ３２及びネットワークインタフェース３９を備える。ネットワークインタフェース３９は、インターネット５を介してクライアント計算機１に接続される。また、ネットワークインタフェース３９は、検索エンジン２に接続される。プロセッサ３１は、メモリ３２に記憶されるプログラムを実行することによって、各種処理を行う。メモリ３２は、プロセッサ３１によって実行されるプログラム及びプロセッサ３１によって必要とされる情報などを記憶する。具体的には、メモリ３２は、検索プログラム３２０、ＷＥＢサービス提供プログラム３３０、ユーザテーブル３４１、アクセス履歴テーブル３４２、アクセスユーザ管理テーブル３４３を記憶する。検索プログラム３２０は、検索サービスをクライアント計算機１に提供する。具体的には、検索プログラム３２０は、検索キーワード受信サブプログラム３２１、検索要求サブプログラム３２２、ユーザ特定サブプログラム３２３、検索結果送信サブプログラム３２４、アクセス履歴テーブル更新サブプログラム３２５及びアクセスユーザ管理テーブル更新サブプログラム３２６を含む。検索キーワード受信サブプログラム３２１は、検索キーワードを含む検索要求を、クライアント計算機１から受信する。そして、検索キーワード受信サブプログラム３２１は、受信した検索要求から検索キーワードを抽出する。検索要求サブプログラム３２２は、検索キーワード受信サブプログラム３２１が抽出した検索キーワードに関連する情報の検索を、検索エンジン２に要求する。そして、検索要求サブプログラム３２２は、検索エンジン２から検索結果を受信する。なお、検索結果は、検索された情報が存在する情報源の位置を示すＵＲＬを一つ以上含む。また、検索結果は、更に、検索された情報が存在するＷＥＢページ名及び当該ＷＥＢページを含むＷＥＢサイト名のうちの少なくとも一つを含んでいてもよい。検索エンジン２が音楽を検索する場合、検索結果は、曲名、作曲者名、作詞者名及び歌手名のうちの少なくとも一つを含んでいてもよい。ユーザ特定サブプログラム３２３は、検索要求サブプログラム３２２が受信した検索結果に含まれるＵＲＬに過去にアクセスしたユーザを特定する。アクセス履歴テーブル更新サブプログラム３２５は、アクセス履歴テーブル３４２を更新する。アクセスユーザ管理テーブル更新サブプログラム３２６は、アクセスユーザ管理テーブル３４３を更新する。ＷＥＢサービス提供プログラム３３０は、クライアント計算機１に各種ＷＥＢサービスを提供する。ＷＥＢサービスは、ＳＮＳ（Ｓｏｃｉａｌ  Ｎｅｔｗｏｒｋｉｎｇ  Ｓｅｒｖｉｃｅ）、ネットオークションサービス又は情報提供サービスなどであり、インターネット５を介して提供可能なサービスであればいかなるものであってもよい。ユーザテーブル３４１は、当該ＷＥＢサーバ３によるＷＥＢサービス又は検索サービスの提供を受けるユーザに関する情報を管理する。なお、ユーザテーブル３４１については、図３で詳細を説明する。アクセス履歴テーブル３４２は、ＵＲＬへのアクセスの履歴をユーザごとに管理す��。なお、アクセス履歴テーブル３４２については、図４で詳細を説明する。アクセスユーザ管理テーブル３４３は、ＵＲＬと当該ＵＲＬへアクセスしたユーザとの対応を管理する。つまり、アクセスユーザ管理テーブル３４３は、アクセスの履歴を、ＵＲＬごとに管理する。なお、アクセスユーザ管理テーブル３４３については、図５で詳細を説明する。
【００１１】
図３は、本発明の第１の実施の形態のＷＥＢサーバ３に記憶されるユーザテーブル３４１の構成図である。ユーザテーブル３４１は、ユーザＩＤ３４１１、パスワード３４１２、メールアドレス３４１３、電話番号３４１４及びその他の情報３４１５を含む。ユーザＩＤ３４１１は、当該ＷＥＢサーバ３によるＷＥＢサービス又は検索サービスの提供を受けるユーザの一意な識別子である。パスワード３４１２は、当該レコードのユーザＩＤ３４１１によって識別されるユーザを認証するための情報である。メールアドレス３４１３は、当該レコードのユーザＩＤ３４１１によって識別されるユーザが所有するメールアドレスである。電話番号３４１４は、当該レコードのユーザＩＤ３４１１によって識別されるユーザが所有する電話番号である。なお、電話番号３４１４は、固定電話端末の電話番号であってもよいし、携帯電話端末の電話番号であってもよい。その他の情報３４１５は、当該レコードのユーザＩＤ３４１１によって識別されるユーザに関する情報である。なお、その他の情報３４１５には、当該ユーザのいかなる情報が格納されてもよい。例えば、その他の情報３４１５には、当該ユーザのユーザ名、当該ＷＥＢサーバ３以外によって提供されるサービスにおけるユーザＩＤ、氏名、クレジットカード情報、郵便番号、住所及びＦＡＸ番号のうち少なくとも一つが格納される。
【００１２】
図４は、本発明の第１の実施の形態のＷＥＢサーバ３に記憶されるアクセス履歴テーブル３４２の構成図である。アクセス履歴テーブル３４２は、ユーザＩＤ３４２１、日時３４２２及びアクセス先ＵＲＬ３４２３を含む。ユーザＩＤ３４２１は、当該ＷＥＢサーバ３によるＷＥＢサービス又は検索サービスの提供を受けるユーザの一意な識別子である。日時３４２２は、当該レコードのユーザＩＤ３４２１によって識別されるユーザがＵＲＬにアクセスした時を示す。アクセス先ＵＲＬ３４２３は、当該レコードの日時３４２２において、当該レコードのユーザＩＤ３４２１によって識別されるユーザがアクセスしたＵＲＬである。
【００１３】
図５は、本発明の第１の実施の形態のＷＥＢサーバ３に記憶されるアクセスユーザ管理テーブル３４３の構成図である。アクセスユーザ管理テーブル３４３は、アクセス先ＵＲＬ３４３１及びユーザＩＤ３４３２を含む。アクセス先ＵＲＬ３４３１は、ユーザによってアクセスされたＵＲＬである。ユーザＩＤ３４３２は、当該レコードのアクセス先ＵＲＬ３４３１にアクセスしたユーザの一意な識別子である。アクセスユーザ管理テーブル３４３は、更に、当該ユーザが当該ＵＲＬにアクセスした日時を管理していてもよい。
【００１４】
図６は、本発明の第１の実施の形態のＷＥＢサーバ３によって実行される検索サービス提供処理のフローチャートである。まず、クライアント計算機１を操作するユーザは、ＷＥＢサーバ３によって提供されるＷＥＢサービスにログインする必要がある。そこで、ユーザは、クライアント計算機１にユーザＩＤ及びパスワードを入力する。すると、クライアント計算機１は、入力されたユーザＩＤ及びパスワードを、ＷＥＢサーバ３に送信する。ＷＥＢサーバ３は、ユーザＩＤ及びパスワードを受信する。そして、ＷＥＢサーバ３は、受信したユーザＩＤ、受信したパスワード及びユーザテーブル３４１に基づいて、認証を行う。なお、ＷＥＢサーバ３は、いかなる方法でユーザに対する認証を行ってもよい。そして、ＷＥＢサーバ３は、認証結果をクライアント計算機１に送信する。その後、ＷＥＢサーバ３は、認証結果が良好であったユーザに対して、検索サービスを提供する。なお、ＷＥＢサーバ３は、認証結果が良好であったユーザによって操作されるクライアント計算機１との通信ではセッション管理を行うことによって、クライアント計算機１を操作するユーザを特定できる。
【００１５】
その後、クライアント計算機１は、検索キーワード入力欄及び検索ボタンを含む検索画面を表示する。ユーザは、検索画面に含まれる検索キーワード入力欄に、検索キーワードを入力する。そして、ユーザは、検索画面に含まれる検索ボタンを操作する。すると、クライアント計算機１は、検索キーワード入力欄に入力された検索キーワードを含む検索要求をＷＥＢサーバ３に送信する。
【００１６】
ＷＥＢサーバ３は、クライアント計算機１から検索要求を受信する（Ｓ２０１）。すると、ＷＥＢサーバ３は、受信した検索要求から、検索キーワードを抽出する。次に、ＷＥＢサーバ３は、抽出した検索キーワードに関連する情報の検索を、検索エンジン２に要求する（Ｓ２０２）。すると、検索エンジン２は、要求された情報を検索し、当該情報が存在するＷＥＢページの位置を示すＵＲＬを一つ以上含む検索結果をＷＥＢサーバ３に送信する。ＷＥＢサーバ３は、検索結果を検索エンジンから受信する。
【００１７】
次に、ＷＥＢサーバ３は、受信た検索結果に含まれるＵＲＬとアクセスユーザ管理テーブル３４３のアクセス先ＵＲＬ３４３１とが一致するレコードを、アクセスユーザ管理テーブル３４３から選択する。
【００１８】
次に、ＷＥＢサーバ３は、選択したレコードから、ユーザＩＤ３４３２を抽出する。ＷＥＢサーバ３は、抽出したユーザＩＤ３４３２によって識別されるユーザを、受信した検索結果に含まれるＵＲＬに過去にアクセスしたユーザとして特定する（Ｓ２０３）。
【００１９】
なお、ＷＥＢサーバ３は、受信した検索結果に含まれるＵＲＬごとに、当該ＵＲＬに過去にアクセスしたユーザを特定する。
【００２０】
なお、ＷＥＢサーバ３は、受信した検索要求に含まれるＵＲＬに、現在から所定の時間遡るまでの間にアクセスしたユーザのみを特定してもよい。この場合、ＷＥＢサーバ３は、抽出したユーザＩＤ３４３２とアクセス履歴テーブル３４２のユーザＩＤ３４２１とが一致するレコードを、アクセス履歴テーブル３４２から選択する。次に、ＷＥＢサーバ３は、受信した検索結果に含まれるＵＲＬとアクセス履歴テーブル３４２のアクセス先ＵＲＬ３４２３とが一致するレコードを、選択したレコードの中から選択する。次に、ＷＥＢサーバ３は、選択したレコードから、日時３４２２を抽出する。次に、ＷＥＢサーバ３は、抽出した日時３４２２が、現在から所定の時間遡るまでの間に該当するか否かを判定する。日時３４２２が現在から所定の時間遡るまでの間に該当する場合、ＷＥＢサーバ３は、抽出したユーザＩＤ３４２１によって識別されるユーザを、受信した検索結果に含まれるＵＲＬに、現在から所定の時間遡るまでの間にアクセスしたユーザとして特定する。一方、日時３４２２が現在から所定の時間遡るまでの間に該当しない場合、ＷＥＢサーバ３は、抽出したユーザＩＤ３４２１によって識別されるユーザを、受信した検索結果に含まれるＵＲＬに、現在から所定の時間遡るまでの間にアクセスしたユーザでないと判断する。
【００２１】
次に、ＷＥＢサーバ３は、ステップＳ２０３で特定したユーザに関する情報及びステップＳ２０２で受信した検索結果を、検索要求の送信元であるクライアント計算機１に送信する（Ｓ２０４）。具体的には、ＷＥＢサーバ３は、抽出したユーザＩＤ３４３２によって識別されるユーザに関する情報及び受信した検索結果を、検索要求の送信元であるクライアント計算機１に送信する。ユーザに関する情報は、抽出されたユーザＩＤ３４３２であってもよいし、ユーザテーブル３４１に格納されている情報であってもよいし、当該ユーザが過去にアクセスしたＵＲＬであってもよい。ユーザに関する情報が、当該ユーザが過去にアクセスしたＵＲＬである場合を説明する。この場合、ＷＥＢサーバ３は、抽出したユーザＩＤ３４３２とアクセス履歴テーブル３４２のユーザＩＤ３４２１とが一致するレコードを、アクセス履歴テーブル３４２から選択する。次に、ＷＥＢサーバ３は、選択したレコードから、日時３４２２及びアクセス先ＵＲＬ３４２３を抽出する。そして、ＷＥＢサーバ３は、抽出した日時３４２２及びアクセス先ＵＲＬ３４２３を、ユーザに関する情報として、クライアント計算機１に送信する。
【００２２】
次に、ユーザに関する情報が、ユーザテーブル３４１に格納されている情報である場合を説明する。この場合、ＷＥＢサーバ３は、抽出したユーザＩＤ３４３２とユーザテーブル３４１のユーザＩＤ３４１１とが一致するレコードを、ユーザテーブル３４１から選択する。次に、ＷＥＢサーバ３は、選択したレコードから、メールアドレス３４１３、電話番号３４１４及びその他の情報３４１５のうち少なくとも一つを抽出する。そして、ＷＥＢサーバ３は、抽出したメールアドレス３４１３、電話番号３４１４及びその他の情報３４１５のうち少なくとも一つを、ユーザに関する情報として、クライアント計算機１に送信する。そして、ＷＥＢサーバ３は、検索サービス提供処理を終了する。
【００２３】
クライアント計算機１は、ユーザに関する情報及び検索結果を、ＷＥＢサーバ３から受信する。すると、クライアント計算機１は、受信したユーザに関する情報及び検索結果を表示する。ユーザに関する情報が、メールアドレス、電話番号又は住所などの場合、当該クライアント計算機１を操作するユーザは、検索結果に含まれるＵＲＬに過去にアクセスしたユーザと、電話、電子メール、ＦＡＸ又は手紙などで直接連絡できる。
【００２４】
また、ＷＥＢサーバ３が、メッセージ預かり機能を備える場合、当該クライアント計算機１を操作するユーザは、当該検索結果に含まれるＵＲＬに過去にアクセスしたユーザと間接的に連絡できる。この場合、ＷＥＢサーバ３は、抽出したユーザＩＤ３４３２によって識別されるユーザに対するメッセージを、検索結果の送信先となったクライアント計算機１から受信する。そして、ＷＥＢサーバ３は、受信したメッセージを記憶する。その後、ＷＥＢサーバ３は、記憶しているメッセージを、抽出したユーザＩＤ３４３２によって識別されるユーザによって操作されるクライアント計算機１に送信する。このメッセージ預かり機能は、ＳＮＳで普及しているため、詳細な機能の説明を省略する。
【００２５】
ここで、クライアント計算機１が、表示する表示画面の例を、図を用いて説明する。図７は、クライアント計算機１が表示するＷＥＢページの例である。ＷＥＢページは、検索結果及び当該検索結果に含まれるＵＲＬに過去にアクセスしたユーザのユーザＩＤを含む。
【００２６】
第１の実施の形態の処理の説明に戻る。ＷＥＢサーバ３は、クライアント計算機１からＵＲＬへのアクセスを検出すると、アクセス履歴テーブル３４２及びアクセスユーザ管理テーブル３４３を更新する。なお、ＷＥＢサーバ３は、検索結果に含まれるＵＲＬへのクライアント計算機１のアクセスを検出できる。また、ＷＥＢサーバ３は、クライアント計算機１に記憶されているアクセス履歴を当該クライアント計算機１から受信し、受信したアクセス履歴に基づいて、アクセス履歴テーブル３４２及びアクセスユーザ管理テーブル３４３を更新してもよい。つまり、アクセス履歴テーブル３４２及びアクセスユーザ管理テーブル３４３は、いかなる方法で更新されてもよい。
【００２７】
ここで、ＷＥＢサーバ３が、検索結果に含まれるＵＲＬへのクライアント計算機１のアクセスを検出する方法の一例を説明する。ＷＥＢサーバ３が送信する検索結果は、ＷＥＢサーバ３のＵＲＬを含む。また、当該ＵＲＬは、検索された情報が存在する情報源の位置を示すＵＲＬをパラメータとして含む。例えば、ＷＥＢサーバ３のＵＲＬが「ｈｔｔｐ://ｗｗｗ．ｋｅｙｔｅｌ．ｃｏ．ｊｐ／ｋｅｎｓａｋｕ／ｉｎｄｅｘ．ｐｈｐ」であり、検索された情報が存在する情報源の位置を示すＵＲＬが「ｈｔｔｐ://ｗｗｗ．ｐａｓｕｍｅ．ｃｏｍ／ｉｎｄｅｘ．ｈｔｍｌ」の場合、ＷＥＢサーバ３が送信する検索結果が含むＵＲＬは、「ｈｔｔｐ://ｗｗｗ．ｋｅｙｔｅｌ．ｃｏ．ｊｐ／ｋｅｎｓａｋｕ／ｉｎｄｅｘ．ｐｈｐ？ｕｒｌ＝ｈｔｔｐ://ｗｗｗ．ｐａｓｕｍｅ．ｃｏｍ／ｉｎｄｅｘ．ｈｔｍｌ」である。クライアント計算機１は、当該ＵＲＬにアクセスする。すると、ＷＥＢサーバ３は、アクセス元のクライアント計算機１を特定する。次に、ＷＥＢサーバ３は、パラメータとして含まれる情報源の位置を示すＵＲＬを取得する。こうして、ＷＥＢサーバ３は、検索結果に含まれるＵＲＬへのクライアント計算機１のアクセスを検出する。次に、ＷＥＢサーバ３は、パラメータとして含まれる情報源の位置を示すＵＲＬに対するリダイレクトの指示を、クライアント計算機１に送信する。クライアント計算機１は、ＷＥＢサーバ３から受信したリダイレクトの指示に従って、検索した情報が存在する情報源にアクセスする。なお、ＷＥＢサーバ３が、検索結果に含まれるＵＲＬへのクライアント計算機１のアクセスを検出する方法は、その目的を達成する限り、いかなる方法であってもよい。
【００２８】
次に、ＷＥＢサーバ３がアクセス履歴テーブルを更新する具体的な方法について説明する。ＷＥＢサーバ３は、ＵＲＬへアクセスしたクライアント計算機１を操作するユーザを特定する。次に、ＷＥＢサーバ３は、特定したユーザの識別子とアクセス履歴テーブル３４２のユーザＩＤ３４２１とが一致するレコードを、アクセス履歴テーブル３４２から選択する。次に、ＷＥＢサーバ３は、選択したレコード内に、新たなレコードを作成する。次に、ＷＥＢサーバ３は、新たなレコードの日時３４２２に、アクセス日時又は現在の日時を格納する。次に、ＷＥＢサーバ３は、新たなレコードのアクセス先ＵＲＬ３４２３に、クライアント計算機１によってアクセスされたＵＲＬを格納する。
【００２９】
次に、ＷＥＢサーバ３がアクセスユーザ管理テーブルを更新する具体的な方法について説明する。ＷＥＢサーバ３は、クライアント計算機１によってアクセスされたＵＲＬとアクセスユーザ管理テーブル３４３のアクセス先ＵＲＬ３４３１とが一致するレコードを、アクセスユーザ管理テーブル３４３から選択する。次に、ＷＥＢサーバ３は、選択したレコードのユーザＩＤ３４３２に、特定したユーザの識別子を格納する。
【００３０】
なお、ＷＥＢサーバ３は、クライアント計算機１によってアクセスされたＵＲＬとアクセスユーザ管理テーブル３４３のアクセス先ＵＲＬ３４３１とが一致するレコードをアクセスユーザ管理テーブル３４３から選択できなかった場合、アクセスユーザ管理テーブル３４３に新たなレコードを追加する。次に、ＷＥＢサーバ３は、追加した新たなレコードのアクセス先ＵＲＬ３４３１に、クライアント計算機１によってアクセスされたＵＲＬを格納する。更に、ＷＥＢサーバ３は、追加した新たなレコードのユーザＩＤ３４３２に、特定したユーザの識別子を格納する。
【００３１】
本実施の形態のＷＥＢサーバ３は、検索を実行したユーザに、当該検索の結果に含まれるＵＲＬに過去にアクセスしたユーザに関する情報を知らせることができる。これによって、検索を実行したユーザは、当該検索の結果に含まれるＵＲＬに過去にアクセスしたユーザと当該検索に関連する情報を交換できる。つまり、ＷＥＢサーバ３は、同一のＵＲＬにアクセスするユーザ同士をマッチングする。
【００３２】
検索エンジンは、インターネットで公開される情報の取得を支援する。しかしながら、検索対象の分野に詳しくない者が、的確な情報を取得するのは難しい。なぜならば、適切な検索キーワードの想到が、難しいからである。本実施の形態のＷＥＢサーバ３は、同一のＵＲＬにアクセスするユーザ同士をマッチングする。これによって、調査対象の分野に詳しくない者が、調査分野に詳しい者とマッチングされ、的確な情報を取得できる可能性が高くなる。
【００３３】
本実施の形態では、ＷＥＢサーバ３は、検索要求をクライアント計算機１から受信すると、検索結果に含まれるＵＲＬに過去にアクセスしたユーザに関する情報を、検索結果と共に当該クライアント計算機１に送信した。
【００３４】
なお、本実施の形態では、ユーザは、検索サービスの提供を受けるために、ログインする必要がある。このため、ＷＥＢサーバ３は、検索サービスと連携した様々なサービスを提供できる。例えば、ＷＥＢサーバ３は、ユーザによって入力された検索キーワードの履歴を分析し、当該分析結果（検索キーワードの傾向）に対応した情報を提供できる。一方、従来では、ユーザは、検索サービスの提供を受ける前に、ログインする必要がなかった。よって、従来のＷＥＢサーバは、検索サービスと連携した他のサービスを提供できない。
【００３５】
また、本実施の形態によって、従来の検索エンジン２の問題をも解決できる。インターネット上に存在する情報を検索する検索エンジン２は、インターネット上に存在する情報をクローリングすることによって、インターネット上に存在する情報を検索の対象とする。そのため、新たに作成された情報は、検索エンジン２にクローリングされるまで、当該検索エンジン２による検索の対象とならない。よって、ユーザは、検索エンジン２を用いた検索では、最新の情報を検索できないという問題があった。しかしながら、本実施の形態では、ＷＥＢサーバ３は、検索結果と共に、当該検索結果に含まれるＵＲＬに過去にアクセスしたユーザに関する情報を表示する。これによって、同一のＵＲＬにアクセスするユーザ同士は、自らが知っているＷＥＢページなどを含む情報を交換できる。このため、検索エンジン２による検索の対象となっていない情報をもユーザが取得できる可能性が高まる。
【００３６】
次に、本発明の第１の実施の形態の変形例を説明する。本発明の第１の実施の形態では、ＷＥＢサーバ３は、アクセスユーザ管理テーブル３４３に基づいて、検索結果に含まれるＵＲＬに過去にアクセスしたユーザを特定した。一方、変形例では、ＷＥＢサーバ３は、アクセス履歴テーブル３４２に基づいて、検索結果に含まれるＵＲＬに過去にアクセスしたユーザを特定する。具体的には、ＷＥＢサーバ３は、検索サービス提供処理のステップＳ２０３で以下の処理を行う。まず、ＷＥＢサーバ３は、受信した検索結果に含まれるＵＲＬとアクセス履歴テーブル３４２のアクセス先ＵＲＬ３４２３とが一致するレコードを、アクセス履歴テーブル３４２から選択する。次に、ＷＥＢサーバ３は、選択したレコードから、ユーザＩＤ３４２１を抽出する。ＷＥＢサーバ３は、抽出されたユーザＩＤ３４２１によって識別されるユーザを、受信した検索結果に含まれるＵＲＬに過去にアクセスしたユーザとして特定する
【００３７】
この場合、ＷＥＢサーバ３は、アクセスユーザ管理テーブル３４３を記憶する必要がない。なぜなら、アクセスユーザ管理テーブル３４３は、アクセス履歴テーブル３４２と同様に、アクセス履歴を管理するものであるからである。
【００３８】
なお、第１の実施の形態及びその変形例では、クライアント計算機１を操作するユーザは、ＷＥＢサーバ３によって提供されるＷＥＢサービスにログインする必要があった。しかしながら、クライアント計算機１を操作するユーザは、検索結果に含まれるＵＲＬに過去にアクセスしたユーザに関する情報を知るだけであれば、ログインしなくてもよい。
【００３９】
また、第１の実施の形態及びその変形例では、検索結果は、ＵＲＬを一つ以上含むが、ＵＲＩを一つ以上含んでもよい。この場合、ＷＥＢサーバ３のアクセス履歴テーブル３４２は、アクセス先ＵＲＬ３４２３の代わりにアクセス先のＵＲＩを示すアクセス先ＵＲＩを含む。また、ＷＥＢサーバ３のアクセスユーザ管理テーブル３４３は、アクセス先ＵＲＬ３４３１の代わりにアクセス先のＵＲＩを示すアクセス先ＵＲＩを含む。
【図面の簡単な説明】
【００４０】
【図１】本発明の第１の実施の形態の計算機システムの構成のブロック図である。
【図２】本発明の第１の実施の形態の計算機システムに備わるＷＥＢサーバの構成のブロック図である。
【図３】本発明の第１の実施の形態のＷＥＢサーバ３に記憶されるユーザテーブルの構成図である。
【図４】本発明の第１の実施の形態のＷＥＢサーバ３に記憶されるアクセス履歴テーブルの構成図である。
【図５】本発明の第１の実施の形態のＷＥＢサーバ３に記憶されるアクセスユーザ管理テーブルの構成図である。
【図６】本発明の第１の実施の形態のＷＥＢサーバ３によって実行される検索サービス提供処理のフローチャートである。
【図７】本発明の第１の実施の形態のクライアント計算機１によって表示される画面の図である。
【符号の説明】
【００４１】
１    クライアント計算機
２    検索エンジン
３    ＷＥＢサーバ
５    インターネット
３１    プロセッサ
３２    メモリ
３９    ネットワークインタフェース
３２０    検索プログラム
３２１    検索キーワード受信サブプログラム
３２２    検索要求サブプログラム
３２３    ユーザ特定サブプログラム
３２４    検索結果送信サブプログラム
３２５    アクセス履歴テーブル更新サブプログラム
３２６    アクセスユーザ管理テーブル更新サブプログラム
３３０    ＷＥＢサービス提供プログラム
３４１    ユーザテーブル
３４２    アクセス履歴テーブル
３４３    アクセスユーザ管理テーブル
３４１１    ユーザＩＤ
３４１２    パスワード
３４１３    メールアドレス
３４１４    電話番号
３４１５    情報
３４２１    ユーザＩＤ
３４２２    日時
３４２３    アクセス先ＵＲＬ
３４３１    アクセス先ＵＲＬ
３４３２    ユーザＩＤ
【図１】
2008276592.tif 000003
【図２】
2008276592.tif 000004
【図３】
2008276592.tif 000005
【図４】
2008276592.tif 000006
【図５】
2008276592.tif 000007
【図６】
2008276592.tif 000008
【図７】
2008276592.tif 000009